(57)【要約】【課題】遊技媒体詰まりが発生した場合であっても、遊技媒体あふれを防止すること。【解決手段】遊技台での遊技によって遊技客が獲得した遊技媒体を受皿で受け取り、最大貯留容量の一部のみを通常時における遊技媒体の貯留に用いるとともに、非常時には最大貯留容量を遊技媒体の貯留に用いるように各台計数装置を構成する。また、最大貯留容量を有する空間を鉛直方向について区切る天板を備えることとしたうえで、通常時には天板を受皿の底板として用いつつ、非常時には天板を取り外すことによって最大貯留容量で遊技媒体を貯留するように各台計数装置を構成する。【選択図】        図２
2010115258.tif 000002
【特許請求の範囲】
【請求項１】
遊技台に対応して設けられる各台計数装置であって、
前記遊技台での遊技によって遊技客が獲得した遊技媒体を受皿で受け取り、最大貯留容量の一部のみを通常時における遊技媒体の貯留に用いるとともに、非常時には前記最大貯留容量を遊技媒体の貯留に用いる貯留手段
を備えたことを特徴とする各台計数装置。
【請求項２】
前記貯留手段は、
前記最大貯留容量を有する空間を鉛直方向について区切る天板を有しており、通常時には前記天板を前記受皿の底板として用いつつ、非常時には前記天板を取り外すことによって前記最大貯留容量で遊技媒体を貯留することを特徴とする請求項１に記載の各台計数装置。
【請求項３】
前記貯留手段は、
前記最大貯留容量を有する空間を鉛直方向について区切る天板を有しており、通常時には前記天板を前記受皿の底板として用いつつ、非常時には前記天板を下降させることによって前記最大貯留容量で遊技媒体を貯留することを特徴とする請求項１に記載の各台計数装置。
【請求項４】
前記貯留手段は、
一方または複数方向に引き出すことで遊技媒体の受け面積を拡大する拡張用部材を含んだ前記受皿を有していることを特徴とする請求項１に記載の各台計数装置。
【請求項５】
前記貯留手段は、
前記最大貯留容量を有する空間を鉛直方向について区切る天板を有しており、通常時には前記天板を前記受皿の底板として用いつつ、前記拡張用部材を引き出した際には、前記最大貯留容量を使用するための非常用通路が露出し、前記天板で区切られた下方空間へ前記非常用通路を経由して遊技媒体を導くことで、遊技媒体を貯留することを特徴とする請求項４に記載の各台計数装置。
【請求項６】
前記貯留手段の天板は、
通常時には、前記貯留手段から遊技媒体を排出する排出通路側が低くなるように傾いており、前記拡張用部材を引き出した際には、前記非常用通路側が低くなるように傾くことを特徴とする請求項５に記載の各台計数装置。
【請求項７】
前記貯留手段は、
所定の利用者のみが操作可能な施錠機構が操作された場合にのみ、前記通常時から前記非常時への切り替えを許容することを特徴とする請求項１〜６のいずれか一つに記載の各台計数装置。
【請求項８】
前記貯留手段の前記最大貯留容量は、
前記遊技台が１回の特賞で排出する遊技媒体の容量以上であることを特徴とする請求項１〜７のいずれか一つに記載の各台計数装置。
【請求項９】
前記各台計数装置における遊技媒体詰まりを検出する詰まり検出手段
をさらに備え、
前記貯留手段は、
前記詰まり検出手段が遊技媒体詰まりを検出した場合に、前記通常時から前記非常時への切り替えを自動的に行う駆動手段
をさらに備えたことを特徴とする請求項１〜８のいずれか一つに記載の各台計数装置。
【発明の詳細な説明】
【技術分野】
【０００１】
この発明は、遊技台に対応して設けられる各台計数装置に関し、特に、遊技媒体詰まりが発生した場合であっても、遊技媒体あふれを防止することができる各台計数装置に関するものである。
【背景技術】
【０００２】
従来から、パチンコ店などの遊技店に設置されるパチンコ機やパチスロ機といった遊技台と並設され、パチンコ玉やメダルといった遊技媒体を貸し出す貸出処理機（以下、「台間装置」と記載する）が知られている。また、遊技台において遊技者が獲得した遊技媒体の数量を各台間装置と接続された各台計数装置が計数する、いわゆる各台計数方式も知られてきた。
【０００３】
かかる各台計数装置は、遊技台が設置される膳板上に配置されており、遊技台の下皿から排出される遊技媒体を受皿部が受け入れ、受皿部から流出した遊技媒体を整列通路で整列しながら台間装置の下部に設けられた計数部へと案内する。そして、計数部では送り込まれた遊技媒体を計数する（たとえば、特許文献１参照）。
【０００４】
【特許文献１】特許第３８５８９５５号公報
【発明の開示】
【発明が解決しようとする課題】
【０００５】
しかしながら、上記した各台計数装置は、膳板上に設けられており、同じく膳板上に設けられた台間装置の下部に配置された計数部へ遊技媒体を導く必要がある。このような設置スペースの制約から、各台計数装置の受皿部における貯留容量は少なく、遊技台の特賞時などに遊技媒体詰まりが発生すると、受皿部から遊技媒体があふれ出してしまう。
【０００６】
このため、従来は、遊技客に遊技を中断してもらい、遊技店の従業員が受皿部を取り外して玉箱を持ち込み、持ち込んだ玉箱に遊技媒体を入れる作業を行う必要があった。しかし、このような遊技中断は、遊技客に対して大きな不快感を与えるため好ましくない。
【０００７】
また、遊技台の特賞中は、遊技台から大量の遊技媒体が排出されるため、上記した作業は迅速に行う必要がある。しかし、受皿部の取り外し、玉箱の持ち込みといった手順は手間がかかり、迅速な作業を強いられる従業員にとっても大きなストレスとなる。
【０００８】
これらのことから、遊技媒体詰まりが発生した場合であっても、遊技媒体あふれを防止することができる各台計数装置をいかにして実現するかが大きな課題となっている。
【０００９】
この発明は、上述した従来技術による問題点を解消するためになされたものであって、遊技媒体詰まりが発生した場合であっても、遊技媒体あふれを防止することができる各台計数装置を提供することを目的とする。
【課題を解決するための手段】
【００１０】
上述した課題を解決し、目的を達成するため、本発明は、遊技台に対応して設けられる各台計数装置であって、前記遊技台での遊技によって遊技客が獲得した遊技媒体を受皿で受け取り、最大貯留容量の一部のみを通常時における遊技媒体の貯留に用いるとともに、非常時には前記最大貯留容量を遊技媒体の貯留に用いる貯留手段を備えたことを特徴とする。
【００１１】
また、本発明は、上記の発明において、前記貯留手段は、前記最大貯留容量を有する空間を鉛直方向について区切る天板を有しており、通常時には前記天板を前記受皿の底板として用いつつ、非常時には前記天板を取り外すことによって前記最大貯留容量で遊技媒体を貯留することを特徴とする。
【００１２】
また、本発明は、上記の発明において、前記貯留手段は、前記最大貯留容量を有する空間を鉛直方向について区切る天板を有しており、通常時には前記天板を前記受皿の底板として用いつつ、非常時には前記天板を下降させることによって前記最大貯留容量で遊技媒体を貯留することを特徴とする。
【００１３】
また、本発明は、上記の発明において、前記貯留手段は、一方または複数方向に引き出すことで遊技媒体の受け面積を拡大する拡張用部材を含んだ前記受皿を有していることを特徴とする。
【００１４】
また、本発明は、上記の発明において、前記貯留手段は、前記最大貯留容量を有する空間を鉛直方向について区切る天板を有しており、通常時には前記天板を前記受皿の底板として用いつつ、前記拡張用部材を引き出した際には、前記最大貯留容量を使用するための非常用通路が露出し、前記天板で区切られた下方空間へ前記非常用通路を経由して遊技媒体を導くことで、遊技媒体を貯留することを特徴とする。
【００１５】
また、本発明は、上記の発明において、前記貯留手段の天板は、通常時には、前記貯留手段から遊技媒体を排出する排出通路側が低くなるように傾いており、前記拡張用部材を引き出した際には、前記非常用通路側が低くなるように傾くことを特徴とする。
【００１６】
また、本発明は、上記の発明において、前記貯留手段は、所定の利用者のみが操作可能な施錠機構が操作された場合にのみ、前記通常時から前記非常時への切り替えを許容することを特徴とする。
【００１７】
また、本発明は、上記の発明において、前記貯留手段の前記最大貯留容量は、前記遊技台が１回の特賞で排出する遊技媒体の容量以上であることを特徴とする。
【００１８】
また、本発明は、上記の発明において、前記各台計数装置における遊技媒体詰まりを検出する詰まり検出手段をさらに備え、前記貯留手段は、前記詰まり検出手段が遊技媒体詰まりを検出した場合に、前記通常時から前記非常時への切り替えを自動的に行う駆動手段をさらに備えたことを特徴とする。
【発明の効果】
【００１９】
本発明によれば、遊技台での遊技によって遊技客が獲得した遊技媒体を受皿で受け取り、最大貯留容量の一部のみを通常時における遊技媒体の貯留に用いるとともに、非常時には最大貯留容量を遊技媒体の貯留に用いる貯留手段を備えることとしたので、通常時には使用しない隠れ貯留スペースを非常時に使用させることで、遊技媒体詰まりが発生した場合であっても、遊技媒体あふれを防止することができるという効果を奏する。
【００２０】
また、本発明によれば、貯留手段は、最大貯留容量を有する空間を鉛直方向について区切る天板を有しており、通常時には天板を受皿の底板として用いつつ、非常時には天板を取り外すことによって最大貯留容量で遊技媒体を貯留することとしたので、簡単な操作で、隠れ貯留スペースを使用可能とすることができるという効果を奏する。
【００２１】
また、本発明によれば、貯留手段は、最大貯留容量を有する空間を鉛直方向について区切る天板を有しており、通常時には天板を受皿の底板として用いつつ、非常時には天板を下降させることによって最大貯留容量で遊技媒体を貯留することとしたので、非常時に天板を取り外すことなく最大貯留容量を使用することができるという効果を奏する。
【００２２】
また、本発明によれば、貯留手段は、一方または複数方向に引き出すことで遊技媒体の受け面積を拡大する拡張用部材を含んだ受皿を有していることとしたので、非常時に貯留スペースを拡大することができるという効果を奏する。
【００２３】
また、本発明によれば、貯留手段は、最大貯留容量を有する空間を鉛直方向について区切る天板を有しており、通常時には天板を受皿の底板として用いつつ、拡張用部材を引き出した際には、最大貯留容量を使用するための非常用通路が露出し、天板で区切られた下方空間へ非常用通路を経由して遊技媒体を導くことで、遊技媒体を貯留することとしたので、簡単な操作で、隠れ貯留スペースを使用可能とすることができるという効果を奏する。
【００２４】
また、本発明によれば、貯留手段の天板は、通常時には、貯留手段から遊技媒体を排出する排出通路側が低くなるように傾いており、拡張用部材を引き出した際には、非常用通路側が低くなるように傾くこととしたので、簡単な操作で遊技媒体の流れ方向を変更することができるという効果を奏する。
【００２５】
また、本発明によれば、貯留手段は、所定の利用者のみが操作可能な施錠機構が操作された場合にのみ、通常時から非常時への切り替えを許容することとしたので、遊技客による誤操作を防止することができるという効果を奏する。
【００２６】
また、本発明によれば、貯留手段の最大貯留容量は、遊技台が１回の特賞で排出する遊技媒体の容量以上であることとしたので、遊技媒体あふれを防止することができるという効果を奏する。
【００２７】
また、本発明によれば、各台計数装置における遊技媒体詰まりを検出する詰まり検出手段をさらに備え、貯留手段は、詰まり検出手段が遊技媒体詰まりを検出した場合に、通常時から非常時への切り替えを自動的に行う駆動手段をさらに備えることとしたので、媒体詰まり発生時に自動的に隠れ貯留スペースを使用可能とすることができるという効果を奏する。
【発明を実施するための最良の形態】
【００２８】
以下に添付図面を参照して、本発明に係る各台計数装置の好適な実施例を詳細に説明する。なお、以下では、いわゆるパチンコ台に対応して設けられ、パチンコ台から排出されたパチンコ玉を計数する各台計数装置についての実施例を説明することとする。
【実施例】
【００２９】
図１は、本実施例に係る各台計数装置１０の配置を示す図である。なお、同図では、遊技台の記載を省略しているが、遊技台は、同図に示す台間装置下部ユニット１１０の右側に隣接する位置であって、各台計数装置１０の後方に隣接する位置に設けられるものとする。
【００３０】
同図に示すように、台間装置上部ユニット１２０は、取付枠２００から取り外し可能に構成されており、同図の（１）に示す方向に押し込むことで、取付枠２００および台間装置下部ユニット１１０に接するように取り付けられる。
【００３１】
計数装置１０は、受皿部１１と、通路部１２とから構成されており、通路部１２は、台間装置下部ユニット１１０に接続される。受皿部１１は、上面が開放された受皿で遊技台から落下してきたパチンコ玉を受け止め、受皿に設けられた自然勾配によってパチンコ玉を通路部１２へと送り出す。また、通路部１２内にも自然勾配が設けられており、パチンコ玉は、通路部１２を経て自重で転がることによって台間装置下部ユニット１１０へ送り出される。
【００３２】
ここで、各台計数装置１０は、受皿部１１における最大貯留容量の一部のみを通常時における遊技媒体の貯留に用いるとともに、非常時には最大貯留容量を遊技媒体の貯留に用いる点に主たる特徴がある。かかる特徴を、図２を用いて説明する。
【００３３】
図２は、受皿部１１の構成を示す図である。なお、同図の（Ａ）には、取り外し可能な天板２１をセットした通常状態を、同図の（Ｂ）には、天板２１を取り外した非常時状態を、それぞれ示している。
【００３４】
同図の（Ａ）に示したように、通常時においては、受皿部１１には天板２１がセットされており、天板２１が受皿部１１の皿底として用いられる。ここで、受皿部１１は、セットされた天板２１と、通常時には露出していない受皿部底板１１ａとの間に、遊技台が１回の特賞で排出するパチンコ玉を格納することができる隠れ貯留スペースを有している。すなわち、受皿部１１は、通常時の皿底となる天板２１と、非常時の皿底となる受皿部底板１１ａとでいわゆる二重底を形成している。
【００３５】
また、同図の（Ａ）に示したように、受皿部１１は、通路部１２へパチンコ玉を排出する排出口１１ｂと、排出口１１ｂへパチンコ玉を自重で転がすための傾斜が付された排出通路１１ｃとを有している。そして、天板２１は、遊技台での遊技によって遊技客が獲得したパチンコ玉を自重で転がして排出通路１１ｃへと導くために、排出通路１１ｃ側が低くなるように受皿部１１へセットされている。
【００３６】
また、受皿部１１は、施錠機構２２を有しており、天板２１を取り外す際には、かかる施錠機構２２のロックを解除する必要がある。たとえば、遊技台の特賞中に各台計数装置１０の玉詰まりが発生した場合、遊技客は遊技店の従業員を呼び出し、呼び出された従業員は、所持する鍵２３で施錠機構２２のロックを解除することになる。
【００３７】
同図の（Ｂ）に示したように、従業員が所持する鍵２３で、施錠機構２２のロックが解除されると、天板２１を同図に示す矢印の向きに引き出すことができる。これにより、同図の（Ａ）に示した隠れ貯留スペースが露出するので、玉詰まりによってパチンコ玉が受皿部１１からあふれることを防止することができる。
【００３８】
また、同図に示した受皿部１１自体も膳板１から取り外すことができ、各台計数装置１０の玉詰まり修理が完了した場合には受皿部１１自体を取り外し、隠れ貯留スペースに貯留したパチンコ玉を玉箱に移し替えたうえで、玉詰まり修理が行われる。
【００３９】
つづいて、玉箱へのパチンコ玉の移し替え作業が完了して隠れ貯留スペースが空になった受皿部１１を膳板１へ取り付け、さらに天板２１を受皿部１１へセットする作業が従業員によって行われる。そして、玉箱へ移し替えたパチンコ玉を受皿部１１へ投入して計数を再開することになる。
【００４０】
なお、図２では、天板２１を、遊技客側に引き出して取り外すように構成した場合について説明したが、天板２１を、上方に持ち上げて取り外すように構成してもよい。また、天板２１を、複数の板を連結した折りたたみ式天板として構成し、施錠機構２２のロックを解除した場合には、隠れ貯留スペースの側壁や、受皿部底板１１ａに沿うような形で、受皿部１１内に収容することとしてもよい。
【００４１】
また、図２では、天板２１を、完全に引き出して取り外すように構成した場合について示したが、パチンコ玉が隠れ貯留スペースへ落ちる程度の隙間ができる位置まで天板２１を引き出すことしてもよい。
【００４２】
ところで、図２では、取り外し可能な天板２１を用いて受皿部１１を二重底とし、隠れ貯留スペースを確保する場合について説明したが、非常時には、隠れ貯留部への入り口が露出するように受皿部１１を構成することとしてもよい。
【００４３】
図３は、受皿部１１の変形例その１の概要を示す図である。なお、同図の（Ａ）には、通常時における受皿部１１の状態を、同図の（Ｂ）には、非常時における受皿部１１の状態を、それぞれ示している。
【００４４】
同図の（Ａ）に示したように、受皿部１１は、傾きを変えることができる天板３１と、遊技客側に引き出すことができる引出部３２とを備えている。また、引出部３２は、施錠機構３２ａを有している。
【００４５】
通常時には、天板３１は、排出通路１１ｃ側が低くなるように受皿部１１へセットされており、受皿部１１が受け止めたパチンコ玉は、同図の（Ａ−１）に示した矢印方向へ転がることで排出通路１１ｃへ導かれ、排出通路１１ｃ上を同図の（Ａ−２）に示した矢印方向へ転がることで、排出口１１ｂから通路部１２へと送り出される。
【００４６】
そして、同図の（Ｂ）に示したように、玉詰まりなどの非常時に、従業員が所持する鍵３２ｂで施錠機構３２ａのロックが解除されると、引出部３２を、同図の（Ｂ−１）に示した矢印方向に引き出すことが可能となる。
【００４７】
このように、引出部３２が引き出されると、隠れ貯留部への入り口である落とし込み口３４および落とし込み口３４へパチンコ玉を誘導する非常用通路３３が露出する。また、天板３１は、非常用通路３３側が低くなるように図示しない支点まわりに回動する。
【００４８】
これにより、受皿部１１が受け止めたパチンコ玉は、同図の（Ｂ−２）に示した矢印方向へ転がることで非常用通路３３へ導かれ、非常用通路３３上を同図の（Ｂ−３）に示した矢印方向へ転がることで、落とし込み口３４から隠れ貯留スペースへと送り出される。また、引出部３２が引き出されることで、受皿部１１がパチンコ玉を受ける受け面積が増加するため、受皿部１１全体としての貯留容量を拡大することができる。
【００４９】
次に、図３に示した受皿部１１の詳細な構成について図４および図５を用いて説明する。図４は、受皿部１１の変形例その１の構成を示す図である。同図に示すように、天板３１は、支点４１まわりに回動可能に軸支されている。また、天板３１が引出部３２と接する面には、複数の突起３１ａが設けられており、引出部３２側には、突起３１ａを差し込む差込口３２ｃが、各突起３１ａと対応する位置にそれぞれ設けられている。
【００５０】
図５は、受皿部１１の変形例その１の動作を示す図である。なお、同図には、図４に示した受皿部１１を後方（遊技台側）から見た図を示している。また、同図の（Ａ）には、引出部３２を引き出す際の受皿部１１の動作を、同図の（Ｂ）には、引出部３２をはめ込む際の受皿部１１の動作を、それぞれ示している。
【００５１】
同図の（Ａ）に示したように、引出部３２を同図の（Ａ−１）に示した矢印方向に引き出すと、天板３１の突起３１ａが、引出部３２の差込口３２ｃから外れることで、天板３１は、支点４１（図４参照）まわりに自重で回動し（同図の（Ａ−２）に示した矢印参照）、受皿部１１の内部に設けられた突起５１に引っ掛かり、非常用通路３３側が低くなるような傾きとなって静止する。
【００５２】
一方、同図の（Ｂ）に示したように、引出部３２をはめ込む場合には、従業員などは天板３１を同図の（Ｂ−１）に示した矢印方向に若干持ち上げ、引出部３２を押し込みつつ、引出部３２の棚５２上に天板３１を乗せる。そして、さらに引出部３２を押し込むことで、天板３１の各突起３１ａは、引出部３２の各差込口３２ｃへ、それぞれ差し込まれる。
【００５３】
なお、図３〜図５では、引出部３２を遊技客側へ引き出す場合について説明したが、引出部３２の引出方向を変更することとしてもよい。たとえば、引出部３２を、遊技客からみて左右方向に引き出すように受皿部１１を構成することができる。また、引出部３２を、複数方向に引き出すこととしてもよい。たとえば、遊技客側および遊技客からみて左右方向へそれぞれ引き出すように受皿部１１を構成することができる。
【００５４】
このように、図３〜図５に示した変形例その１に係る受皿部１１によれば、通常時には、コンパクトなサイズとしつつ、非常時には引出部３２を引き出すという簡単な操作で、受皿部１１全体としての貯留容量を増加させつつ、通常時には使用しない隠れ貯留スペースを使用することが可能となる。
【００５５】
ところで、図３〜図５では、引出部３２を引き出すことで隠れ貯留部への入り口が露出するように受皿部１１を構成する場合について説明したが、昇降可能な天板を用いることで、受皿部１１の貯留容量を、非常時に増加させることとしてもよい。
【００５６】
また、非常用通路３３を設けない構成とすることもできる。たとえば引出部３２を引き出すことで、天板３１と引出部３２との間に隙間ができるようにし、天板３１の傾斜方向が、かかる隙間側で低くなるように変化することで、パチンコ玉を隠れ貯留部へ流入させるようにしてもよい。
【００５７】
図６は、受皿部１１の変形例その２の概要を示す図である。なお、同図の（Ａ）には、昇降可能な昇降式天板６１を最下部まで移動させた非常時の状態を、同図の（Ｂ）には、昇降式天板６１を最上部で固定した通常時の状態を、それぞれ示している。
【００５８】
図６の（Ａ）に示したように、従業員が所持する鍵６３で施錠機構６２のロックが解除されると、昇降式天板６１を最下部まで押し下げることができる。このようにすることで、受皿部１１を最大貯留容量で使用することが可能となる。
【００５９】
たとえば、昇降式天板６１は、ばねなどで上方へ押し上げる向きに付勢されており、ばねに逆らって最下部まで押し下げると、図示しない固定機構によって最下部で固定される。また、最下部で固定されている場合に、昇降式天板６１を押下すると固定機構による固定が解除され、昇降式天板６１は、図６の（Ｂ）に示した通常位置へと戻る。
【００６０】
そして、図６の（Ｂ）に示したように、通常時には、昇降式天板６１は最上部で固定されているので、固定された昇降式天板６１が受皿部１１の皿底として用いられる。なお、図６では、昇降式天板６１が上下方向へ平行移動する場合について示したが、非常時には、昇降式天板６１のいずれかの辺が受皿部１１の受皿部底板１１ａへ接するように昇降式天板６１を傾けた状態で固定することで、貯留容量を増加させるように受皿部１１を構成することとしてもよい。
【００６１】
ところで、これまでは、受皿部１１の容量可変機構を従業員が操作することで、非常時における貯留容量を増加させる場合について説明してきたが、モータやソレノイドといった駆動デバイスを用いて容量可変機構を作動させることとしてもよい。そこで、以下では、駆動デバイスを用いて貯留容量を変化させる受皿部１１について説明することとする。
【００６２】
図７は、受皿部１１の変形例その３の概要を示す図である。なお、同図の（Ａ）には、モータ７２で開閉されるシャッタ７１を開いた状態を、同図の（Ｂ）には、シャッタ７１を閉めた状態を、それぞれ示している。
【００６３】
同図の（Ａ）に示したように、受皿部１１は、受皿面の一部に開閉可能なシャッタ７１を有しており、シャッタ７１を開けることで、シャッタ７１の下方に設けられた隠れ貯留スペースの使用が可能となる。
【００６４】
また、同図の（Ｂ）に示したように、シャッタ７１を閉めた状態では、図２の（Ａ）に示した場合と同様に、シャッタ７１が設けられた受皿面は排出通路１１ｃ側が低くなっており、受け取ったパチンコ玉を排出通路１１ｃ経由で排出口１１ｂへ送り出す。
【００６５】
ここで、シャッタ７１の開閉は、計数部による計数結果や、パチンコ玉の詰まりを検出する詰まりセンサからの出力に基づいてモータなどの駆動部を駆動制御することによって行われる。
【００６６】
図８は、受皿部１１の変形例その３の構成を示すブロック図である。同図に示すように、各台計数装置１０は、詰まりセンサ８１と、受皿部１１と、計数部８２と、駆動部８３と、駆動制御部８４とを備えている。
【００６７】
詰まりセンサ８１は、各台計数装置１０の通路部１２などに設けられるセンサであり、玉詰まりが発生した場合には、その旨を駆動制御部８４に対して通知する。また、計数部８２は、パチンコ玉を計数し、計数結果である計数値を駆動制御部８４に対して通知する。
【００６８】
受皿部１１は、たとえば、図７に示したシャッタ７１などの容量可変機構を備えており、かかる容量可変機構は、駆動部８３によって作動される。また、駆動部８３は、たとえば、モータやソレノイドといった電動の駆動デバイスであり、駆動制御部８４からの指示に従って、受皿部１１の容量可変機構を作動させる。
【００６９】
駆動制御部８４は、詰まりセンサ８１からの信号および計数部８２からの信号に基づいて容量可変機構を作動させるタイミングを決定する。たとえば、駆動制御部８４は、計数部８２からの計数値がカウントアップされず、かつ、詰まりセンサ８１から玉詰まりが発生した旨の通知を受けた場合に、シャッタ７１を開くように駆動部８３に対して指示する。
【００７０】
なお、図８では、駆動制御部８４が、詰まりセンサ８１からの信号および計数部８２から信号に基づいて容量可変機構を作動させるタイミングを決定する場合について示したが、詰まりセンサ８１からの信号のみに基づいてかかるタイミングを決定することとしてもよい。この場合、駆動制御部８４は、詰まりセンサ８１から玉詰まりが発生した旨の通知を受けた場合に、シャッタ７１を開くように駆動部８３に対して指示することになる。
【００７１】
なお、図８では、シャッタ７１の開閉を制御する場合について示したが、図２に示した受皿部１１、図３〜図５に示した変形例その１に係る受皿部１１、図６に示した変形例その２に係る受皿部１１の容量可変機構の作動についても、図８で説明した場合と同様に自動制御することとしてもよい。
【００７２】
たとえば、玉詰まりが検出された場合に、図２に示した受皿部１１の天板２１を、パチンコ玉が隠れ貯留スペースへ落ちる程度の隙間ができる位置まで移動させる制御が可能である。また、図３に示した変形例１に係る受皿部１１の引出部３２を、図３の（Ｂ）に示した位置まで移動させる制御が可能である。さらに、図６に示した変形例２に係る受皿部１１の昇降式天板６１を図６の（Ａ）に示した位置まで移動させる制御が可能である。
【００７３】
また、図８に示した詰まりセンサ８１が、詰まりを検出した場合に、図示しない従業員呼び出しランプを点灯させることとすれば、従業員がただちにパチンコ玉詰まりが発生した旨を認識することができるので、隠れ貯留スペースに一時待避させたパチンコ玉を玉箱に移して受皿部１１を通常状態に戻す作業などに素早く対応することが可能となる。
【００７４】
上述してきたように、本実施例では、遊技台での遊技によって遊技客が獲得した遊技媒体を受皿で受け取り、最大貯留容量の一部のみを通常時における遊技媒体の貯留に用いるとともに、非常時には最大貯留容量を遊技媒体の貯留に用いるように各台計数装置を構成した。また、最大貯留容量を有する空間を鉛直方向について区切る天板を備えることとしたうえで、通常時には天板を受皿の底板として用いつつ、非常時には天板を取り外すことによって最大貯留容量で遊技媒体を貯留するように各台計数装置を構成した。したがって、遊技媒体詰まりが発生した場合であっても、遊技媒体あふれを防止することができる。また、遊技店の従業員の作業負荷を軽減し、遊技客の不快感を低減することができる。
【産業上の利用可能性】
【００７５】
以上のように、本発明に係る各台計数装置は、遊技媒体詰まりが発生した場合であっても、遊技媒体あふれを防止したい場合に有用であり、特に、各台計数装置の設置スペースが制限されている場合の遊技媒体あふれの防止に適している。
【図面の簡単な説明】
【００７６】
【図１】本実施例に係る各台計数装置の配置を示す図である。
【図２】受皿部の構成を示す図である。
【図３】受皿部の変形例その１の概要を示す図である。
【図４】受皿部の変形例その１の構成を示す図である。
【図５】受皿部の変形例その１の動作を示す図である。
【図６】受皿部の変形例その２の概要を示す図である。
【図７】受皿部の変形例その３の概要を示す図である。
【図８】受皿部の変形例その３の構成を示すブロック図である。
【符号の説明】
【００７７】
１    膳板
１０    各台計数装置
１１    受皿部
１１ａ  受皿部底板
１１ｂ  排出口
１１ｃ  排出通路
１２    通路部
２１    天板
２２    施錠機構
２３    鍵
３１    天板
３１ａ  突起
３２    引出部
３２ａ  施錠機構
３２ｂ  鍵
３２ｃ  差込口
３３    非常用通路
３４    落とし込み口
４１    支点
５１    突起
５２    棚
６１    昇降式天板
７１    シャッタ
７２    モータ
８１    詰まりセンサ
８２    計数部
８３    駆動部
８４    駆動制御部
１１０    台間装置下部ユニット
１２０    台間装置上部ユニット
【図１】
2010115258.tif 000003
【図２】
2010115258.tif 000004
【図３】
2010115258.tif 000005
【図４】
2010115258.tif 000006
【図５】
2010115258.tif 000007
【図６】
2010115258.tif 000008
【図７】
2010115258.tif 000009
【図８】
2010115258.tif 000010